(57)【要約】【課題】粉末状物質が充填されたフィルム製のガゼット袋の開封性を向上させる。【解決手段】  粉末状物質Ｐが充填されたフィルム製のガゼット袋１０Ａが、ガゼット袋１０Ａを形成するフィルム同士がシールされた帯状の縦シール部１２を有する。このフィルムは、ガゼット袋１０Ａの幅方向に配向している延伸フィルム層と、ガゼット袋１０Ａの上下方向に配向している延伸フィルム層を有する積層フィルムで形成されている。ガゼット袋１０Ａの上部には補強テープ２１、２２がガゼット袋の上下方向に間隔をあけて並設され、補強テープ２１、２２の上下方向の間にハーフカット領域２３が設けられている。ハーフカット領域２３には、ガゼット袋１０Ａの幅方向のハーフカットライン２４が複数列形成されている。開封開始部２０は、ハーフカット領域２３内の縦シール部１２にある。【選択図】図１
2015224079.tif 000002
【特許請求の範囲】
【請求項１】
上端が開口しているフィルム製のガゼット袋であって、
ガゼット袋を形成するフィルム同士がシールされている帯状の縦シール部を有し、
該フィルムは、ガゼット袋の幅方向に配向している延伸フィルム層と、ガゼット袋の上下方向に配向している延伸フィルム層を有する積層フィルムであり、
ガゼット袋の上部に、補強テープが、ガゼット袋の上下方向に間隔をあけて並設され、ガゼット袋の幅方向に延びており、
該補強テープの上下方向の間に、ガゼット袋の幅方向のハーフカットラインが複数列形成されたハーフカット領域が設けられ、
ハーフカット領域内の縦シール部に開封開始部を有するガゼット袋。
【請求項２】
補強テープが、ガゼット袋の全周にわたって貼着されている請求項１記載のガゼット袋。
【請求項３】
ハーフカット領域が、ガゼット袋の全周にわたって形成されている請求項１又は２記載のガゼット袋。
【請求項４】
補強テープの上下方向の間のフィルム全体がハーフカット領域である請求項１〜３のいずれかに記載のガゼット袋。
【請求項５】
補強テープの上下方向の間隔が３〜５０ｍｍである請求項１〜４のいずれかに記載のガゼット袋。
【請求項６】
ガゼット袋の幅方向に配向している延伸フィルム層が、ガゼット袋の上下方向に配向している延伸フィルム層に対してガゼット袋の外側にあり、ハーフカット領域のハーフカットラインの切込深さが、５〜２０μｍである請求項１〜５のいずれかに記載のガゼット袋。
【請求項７】
請求項１〜６のいずれかに記載のガゼット袋に粉末状物質が充填され、上端部がシールされているガゼット袋。
【請求項８】
上面に開口部を有し、該開口部を覆う蓋を備えた箱形の容器本体に収容されるガゼット袋であって、開封開始部とガゼット袋底面との距離が、箱形の容器本体の深さ以下であって、箱形の容器本体の深さと略同寸である請求項７記載のガゼット袋。
【請求項９】
請求項８に記載のガゼット袋が収容された箱形容器。
【発明の詳細な説明】
【技術分野】
【０００１】
本発明は、粉末洗剤等の粉末状物質が充填され、箱形容器内で使用しても好適な袋に関する。
【背景技術】
【０００２】
粉末洗剤等の顆粒ないし粉末の粉末状物質に用いる容器として、板紙、プラスチックシート等の板紙状材料からなる箱形容器が使用されている（特許文献１）。この箱形容器は、内容物の使用後には通常廃棄される。
【０００３】
一方、省資源化の点から、内容物を詰替袋に充填し、その袋ごと箱形容器に入れることにより、箱形容器を繰り返し利用することが知られており、詰替袋を厚紙製とし、その詰替袋の開封容易性を高めるため、側面上部に外方へ突出する引剥爪とその引剥爪に対応する部分に引剥用ガイドテープを設け、また、廃棄時にはコンパクトに袋を折り畳めるようにするために袋の底部に折曲げ線を設けることが提案されている（特許文献２）。
また、詰替袋を紙製又はプラスチックフィルム製のガゼット袋とし、詰替袋を収容する箱形の容器本体に詰替袋の開口縁部を係止する係止部を設け、詰替袋の開口がつぼまらないようにすることが提案されている（特許文献３）。
【０００４】
しかしながら、詰替袋として厚紙製のものを使用し、袋体へ折曲げ線の加工をし、開封のための引剥爪や引剥用ガイドテープを設けると、袋の製造コストが高くなる。詰替袋をプラスチックフィルム製とする場合には、縁部にノッチを形成することにより詰替袋を引き裂いて開封するが、引き裂きラインが安定しない。また、プラスチックフィルムが伸びてしまい、引き裂きをできないこともある。
【０００５】
これに対し、箱形容器内に収容して詰替袋として使用できるプラスチックフィルム製のガゼット袋であって、箱形容器内で開封することができ、開封後には箱形容器内で大きく開口した状態を維持するものが提案されている（特許文献４）。
【先行技術文献】
【特許文献】
【０００６】
【特許文献１】実開平６−１２２１号公報
【特許文献２】実開平６−３２３６４号公報
【特許文献３】特開２０１０−１４３６３５号公報
【特許文献４】特開２０１２―２１０９６７号公報
【発明の概要】
【発明が解決しようとする課題】
【０００７】
しかしながら、箱形容器内で使用できるプラスチックフィルム製の袋について、開封をよりいっそう容易にすることが望まれる。そこで、本発明の課題は、箱形容器内に収容することのできるガゼット袋の開封時の引き裂きラインを安定させ、開封容易性を改善することに関する。
【課題を解決するための手段】
【０００８】
本発明者は、ガゼット袋の上部に、補強テープを、ガゼット袋の上下方向に間隔をあけて並設し、その補強テープの上下方向の間に、ガゼット袋の幅方向のハーフカットラインを複数列形成した領域を設けると、ガゼット袋を引き裂いて開封するときの開封ラインが顕著に安定することを見出し、本発明を想到した。
【０００９】
即ち、本発明は、上端が開口しているフィルム製のガゼット袋であって、
ガゼット袋を形成するフィルム同士がシールされている帯状の縦シール部を有し、
該フィルムは、ガゼット袋の幅方向に配向している延伸フィルム層と、ガゼット袋の上下方向に配向している延伸フィルム層を有する積層フィルムであり、
ガゼット袋の上部に、補強テープが、ガゼット袋の上下方向に間隔をあけて並設され、ガゼット袋の幅方向に延びており、
該補強テープの上下方向の間に、ガゼット袋の幅方向のハーフカットラインが複数列形成されたハーフカット領域が設けられ、
ハーフカット領域内の縦シール部に開封開始部を有するガゼット袋を提供する。
また、本発明は、上述のガゼット袋に粉末状物質が充填され、上端部がシールされているガゼット袋及びこの粉末状物質が充填されたガゼット袋が収容された箱形容器を提供する。
【発明の効果】
【００１０】
本発明のガゼット袋によれば、開封開始部が形成されているハーフカット領域には、ガゼット袋の幅方向にハーフカットラインが複数列形成されており、さらに、このハーフカット領域を形成するフィルム自体が、ガゼット袋の幅方向に配向している延伸フィルム層と、ガゼット袋の上下方向に配向している延伸フィルム層が積層した積層フィルムで形成されている。このため、開封開始部からの引き裂きにより、ガゼット袋を幅方向に容易に引き裂くことができる。
【００１１】
しかも、このハーフカット領域は、ガゼット袋の上下方向に間隔をあけて並設された補強テープで挟まれているため、引き裂きによる開封ラインがガゼット袋の幅方向に対して斜めになりかけても、開封ラインは必ず並設された補強テープの間に収まる。
したがって、本発明のガゼット袋によれば、全幅にわたって幅方向に引き裂き、ガゼット袋を開口させることが容易となる。
【図面の簡単な説明】
【００１２】
【図１】図１は、実施例のガゼット袋１０Ａの斜視図である。
【図２】図２は、ハーフカット領域付近のフィルムの拡大平面図である。
【図３】図３は、フィルムの断面図である。
【図４】図４は、粉末状物質の充填前のガゼット袋の斜視図である。
【図５】図５は、ガゼット袋を収容する箱形容器であって、（ａ）蓋を閉じた状態と（ｂ）蓋を開けた状態の斜視図である。
【図６】図６は、ガゼット袋のマチの折り筋の弱さの説明図である。
【図７Ａ】図７Ａは、ガゼット袋を収容した箱形容器の蓋を開けた状態の斜視図である。
【図７Ｂ】図７Ｂは、図７Ａのガゼット袋を把持した状態の斜視図である。
【図７Ｃ】図７Ｃは、図７Ａのガゼット袋を開封した後の箱形容器の斜視図である。
【図８】図８は、実施例のガゼット袋１０Ｂの斜視図である。
【図９】図９は、実施例のガゼット袋１０Ｃの斜視図である。
【発明を実施するための形態】
【００１３】
以下、図面を参照しつつ、本発明を具体的に説明する。なお、各図中、同一符号は同一又は同等の構成要素を表している。
【００１４】
図１は、本発明の一実施例のガゼット袋１０Ａの斜視図である。このガゼット袋１０Ａは、図５に示す、容器本体３２と蓋３１からなる箱形容器３０の容器本体３２に収容され、粉末洗剤等の粉末状物質が充填された詰替袋として好ましく使用することができる。
【００１５】
ガゼット袋１０Ａは、概略横ガゼットの形状をしており、両側部にマチ１１を有する。ガゼット袋１０Ａの幅方向（Ｘ方向）の中央部には、ガゼット袋の胴部を形成するフィルム同士がシールされることにより形成された帯状の縦シール部１２が上下方向（Ｙ方向）に延び、上端にトップシール１３が形成されている。
【００１６】
ガゼット袋１０Ａの上部には、該ガゼット袋１０Ａの上下方向に間隔をあけて並設された２本の補強テープ２１、２２が、ガゼット袋１０Ａの幅方向に延び、袋の全周にわたって貼着されている。２本の補強テープ２１、２２の間のフィルム全体がハーフカット領域２３となっている。本実施形態ではこのハーフカット領域２３は、ガゼット袋１０Ａを形成するフィルムに、ガゼット袋１０Ａの幅方向の微細なハーフカットライン２４が該領域全体に分散している領域であり、幅方向の微細なハーフカットライン２４が断続的に連なったハーフカットラインが複数列形成されている領域である。
ハーフカット領域２３内の縦シール部１２には、開封開始部としてノッチ２０が設けられている。
【００１７】
ガゼット袋１０Ａを形成するフィルムは、ガゼット袋１０Ａの幅方向（Ｘ方向）に配向し、同方向に引裂性を有する延伸フィルム層と、ガゼット袋の上下方向（Ｙ方向）に配向している延伸フィルム層を有する積層フィルムである。
【００１８】
ここで、Ｘ方向に配向している延伸フィルム層としては、例えば、高密度ポリエチレン(HDPE)の横一軸延伸フィルムを使用することができ、この市販品としてはカラリヤンＹ（細川洋行社製）等を使用することができる。
また、Ｘ方向に配向している延伸フィルム層は、上下方向に配向している延伸フィルム層よりもガゼット袋の外側に設けることが好ましく、例えば、ガゼット袋１０Ａを形成する積層フィルムの外層又は中間層として使用する。この延伸フィルム層の層厚は１５μｍ以上５０μｍ以下とすることが好ましい。
【００１９】
Ｙ方向を配向方向とする延伸フィルム層は、内側シーラント層として使用することが好ましく、中でもリニア低密度ポリエチレン(L-LDPE)に対して易カット加工を施した縦一軸延伸フィルム層が好ましい。この延伸フィルム層の層厚は１５μｍ以上５０μｍ以下とすることが好ましい。
【００２０】
このようにガゼット袋１０Ａを形成する積層フィルムの一層として、Ｘ方向に配向している延伸フィルム層を使用することにより、ガゼット袋１０Ａの両側部にはマチ１１が形成されているにもかかわらず、ノッチ２０から容易に直線状にＸ方向に開封することが可能となる。また、ガゼット袋１０Ａを形成する積層フィルムの一層としてＹ方向に配向した延伸フィルム層も使用することにより、ガゼット袋１０Ａに、例えば、嵩密度が７００ｇ／Ｌ以上の粉末洗剤等を収容して袋に外側に押し広げる作用が働いた場合に、きれいに開口させることができる。
【００２１】
ガゼット袋１０Ａを形成する積層フィルムとしては、さらにポリアミド、ポリオレフィン、ポリエステル系樹脂フィルム層などを積層したものでもよい。その場合、層構成としては、ポリアミド、ポリエステル系樹脂フィルム層とポリオレフィン系樹脂フィルム層の積層の組み合わせとすることが好ましい。
【００２２】
なお、ガゼット袋１０Ａをこのような積層フィルムで形成することにより、開封後、フィルムの折りぐせにより袋が内側に折れ曲がって開口面積が狭まるという事態を防ぐことができる。
【００２３】
また、この積層フィルムには、必要に応じて、印刷適性を向上させる層や、シール性を向上させる層を設けても良い。
【００２４】
積層フィルム全体の層厚としては、内容物が無い状態でもガゼット袋１０Ａが自立する程度にフィルムがコシを有するように、好ましくは４０μｍ以上、より好ましくは１００μｍ以上であり、好ましくは２００μｍ以下、より好ましくは１５０μｍ以下である。これにより、ガゼット袋１０Ａを開封後、ガゼット袋１０Ａ内の粉末状物質の使用に伴って粉末状物質が減り、粉末状物質がガゼット袋１０Ａを容器本体３２の内壁に押し付ける位置が下がっても、ガゼット袋１０Ａが開口状態を維持し、粉末状物質の取り出しやすさを保つことができる。
【００２５】
このガゼット袋１０Ａは、上述の積層フィルムを使用することに加えて、ノッチ２０を上下から挟む領域に補強テープ２１、２２が設けられ、補強テープ２１、２２の間がハーフカット領域２３となっていることにより、ノッチ２０から引き裂いた場合の開封ラインが顕著に安定し、ガゼット袋１０Ａの全幅を容易に引き裂けるものとなっている。図２は、ハーフカット領域２３付近Ａのフィルムの拡大平面図であり、図３は、そのＢ−Ｂ断面図である。
【００２６】
ここで、補強テープ２１、２２は、ＯＰＰ（二軸延伸ポリプロピレン）、ＰＥＴ、ＯＮｙ（二軸延伸ナイロン）等のフィルムを粘着剤で貼着したものとすることができる。これらのフィルム厚は、ノッチ２０から開封するときの開封ラインの引き裂き直進性を向上させる点から１２μｍ以上が好ましく、またガゼット袋１０Ａの製袋工程においてトップシール１３をシールするときにシールバーとフィルムとに段差ができないようにする点から８０μｍ以下が好ましく、５０μｍがより好ましい。
【００２７】
２本の補強テープ２１、２２の幅は、同じにしてもよいが、開封時にノッチ２０から上向きの力がかかりやすく、上方に引き裂けやすいため、上側の補強テープ２１を下側の補強テープ２２よりも幅広にしてもよい。より具体的には、上側の補強テープ２１の幅Ｌ1を、３〜２０ｍｍとし、下側の補強テープ２２の幅Ｌ２を２〜１５ｍｍとする。
【００２８】
２本の補強テープ２１、２２の間隔Ｌ３は、仮に斜め上方向、斜め下方向或いは上下方向にうねって開封されたとしても、ガゼット袋の開封端の最大高さと最低高さの差を大きくしないようにする観点から、好ましくは３〜５０ｍｍ、より好ましくは１０〜２０ｍｍである。
【００２９】
ハーフカット領域２３に多数形成されている、ハーフカットライン２４の配列は、個々のハーフカットライン２４がガゼット袋の幅方向に延びたものであれば特に制限はないが、図２に示したように、ハーフカットライン２４が所定間隔で断続的に幅方向に連なっている直線を複数列設けたもの、または、ハーフカットライン２４を千鳥格子状に配列したものとすることが好ましい。
また、ハーフカットラインは、断続的なハーフカットラインに限定されず、連続的なハーフカットラインを所定の間隔で複数列設けても良い。
【００３０】
個々のハーフカットライン２４の長さＬ4は、好ましくは１〜５ｍｍ、より好ましくは２〜４ｍｍである。またガゼット袋の幅方向で隣り合うハーフカットライン２４同士の間隔Ｌ5は、好ましくは１．０〜２．５ｍｍ、より好ましくは１．５〜２ｍｍであり、幅方向に延びたハーフカットライン２４の配列同士の間隔Ｌ6は、好ましくは１．０〜２．５ｍｍ、より好ましくは１．５〜２ｍｍである。
【００３１】
ハーフカットライン２４の切込深さは、５〜２０μｍとすることが好ましい。特に、図３に示すように、ガゼット袋１０Ａの外側に、ガゼット袋１０Ａの幅方向の引裂性を有する外側延伸フィルム層２５があり、ガゼット袋１０Ａの内側に、ガゼット袋１０Ａの上下方向に配向している内側延伸フィルム層２６がある場合に、ハーフカットライン２４の切込深さは、外側延伸フィルム層２５を切断してフィルム層の厚み方向に貫通させ、さらに内側延伸フィルム層２６も切断し、フィルム層の厚み方向に貫通させない深さとすることが好ましい。
このようなハーフカットライン２４は、レーザー加工、トムソン刃によるカット加工等により形成することができる。特に断続的なハーフカットラインの場合には、従来技術であるトムソン刃によるカット加工を用いることができ、加工が容易となる。
【００３２】
なお、ハーフカット領域２３は、２本の補強テープ２１、２２の間に設けられていればよく、必ずしも袋の全周になくてもよいが、開封ラインをより安定させる点から、袋の全周にわたって設けることが好ましい。一方、ハーフカット領域２３を袋の全周にわたって形成しない場合、少なくともマチ１１におけるフィルムの折り返し部分にハーフカット領域２３を設けると、ガゼット袋１０Ａの開口が容易となる。
また、ハーフカット領域２３は、２本の補強テープ２１、２２の間で帯状に設けてもよいが、２本の補強テープ２１、２２の間のフィルム全体をハーフカット領域とすることが好ましい。この場合、ハーフカット領域２３は、２本の補強テープ２１、２２の貼着領域と重なってもよく、２本の補強テープ２１、２２の貼着領域よりも袋の上側又は下側にはみ出ないことが好ましい。
【００３３】
このように補強テープ２１、２２とハーフカット領域２３を有するガゼット袋１０Ａの製造方法としては、例えば、まず、ガゼット袋１０Ａを形成する１枚の積層フィルムに、ハーフカット領域２３と補強テープ２１、２２を設け、次いでその積層フィルムを、ヒートシール等による縦シールで筒状に成形し、ノッチ２０を形成し、両側部にマチ１１が形成されるようにガイドを当てて筒状体を折り畳み、図４に示すように、下端部にボトムシール１４と斜めシール１５を形成し、上端に開口を有する空袋を得る。この空袋に粉末状物質を充填し、上端部にトップシール１３を形成することによりガゼット袋１０Ａを製造する。
【００３４】
ここで、マチ１１は、ガゼット袋１０Ａの上下方向の折れ曲がり部に折り筋が無いか、部分的に折り筋がつくように折り筋を弱く形成することが好ましい。より具体的には、ガゼット袋１０Ａの両側部となる領域を、マチ１１を形成させるガイド部に強くあてずにボトムシール１４及び斜めシール１５を形成し、図６に示すように、そのガゼット袋１０Ａに内容物を充填しない状態でマチ１１を平板５０上に置いた場合に、折り筋１１ａと平板５０との距離Ｌ6が２ｍｍ以下となるようにすることが好ましい。これにより、ガゼット袋１０Ａに嵩密度が７００ｇ/Ｌ以上の粉末を入れ、それを箱形の容器本体に入れると、ガゼット袋の周面が容器本体の内壁に押し付けられて広がりやすくなり、後述するようにガゼット袋を開封した後の開口面をすぼまりにくくすることができる。
【００３５】
ガゼット袋１０Ａを袋の幅方向に開封したときの開口部の周長、即ち、ガゼット袋の胴部の周長は、容器本体３２の内寸の周長に対して、略同寸とすることが好ましい。これにより、図７Ｃに示すように、容器本体３２内でガゼット袋１０Ａを開封後、その袋１０Ａ内の粉末状物質Ｐが広がろうとすることにより、ガゼット袋１０Ａの周面の略全面が容器本体３２の内壁に押し付けられる。このため、ガゼット袋１０Ａは開口形状が広く安定し、粉末状物質Ｐを計量スプーンで取り出しやすくなる。ここで、略同寸とは、ガゼット袋１０Ａの上端開口部の周長が容器本体３２の内寸の周長に対して過度に短いことにより、ガゼット袋１０Ａの上端開口部が内側に倒れたり、反対に、ガゼット袋１０Ａの上端開口部の周長が過度に長いことによりガゼット袋１０Ａに大きなたるみができたりする場合を含まず、容器本体３２内でガゼット袋１０Ａの上端開口部が内側に倒れず、かつガゼット袋１０Ａの上端開口部にたるみができない程度にガゼット袋１０Ａの上端開口部の周長と容器本体３２の内寸の周長が同程度であることをいう。
【００３６】
縦シール部１２に、開封開始部として形成されているノッチ２０は、Ｖ字型の切込で形成されている。開封開始部として、Ｉ型のノッチ、Ｕ字形のノッチ、微小な孔を無数にあけた「マジックカット」（登録商標）等を形成してもよい。
【００３７】
縦シール部１２におけるノッチ２０の形成位置は、ノッチ２０とガゼット袋１０Ａの底面との距離（より具体的には、ノッチ２０における引き裂き開始位置とガゼット袋１０Ａの底面との距離）が、容器本体３２の深さ以下であって、容器本体３２の深さと略同寸（例えば、これらの差が５ｍｍ以内）となる位置が好ましい。この形成位置は、図７Ｂに示すように、容器本体３２の開口縁３３に掛けた手で、ガゼット袋１０Ａの上端部であって、ガゼット袋１０Ａにおける高さ方向の位置がノッチ２０と同程度の部分を把持したときに、ガゼット袋１０Ａの底面１６を容器本体３２の底面３４から浮き上がらせる位置となる。この場合、ガゼット袋１０Ａの底面１６が、容器本体３２の底面３４から浮き上がる高さＨは、５０ｍｍ以下とすることが好ましく、本発明においては浮かさなくともよいが、１０ｍｍ以上浮き上がらせることがより好ましい。なお、浮き上がりの有無に関わらず、ガゼット袋１０Ａの開封時には容器本体３２の外側でノッチ２０を引き裂くと、ガゼット袋１０Ａを直線状に引き裂くことがさらに容易となる。ノッチ２０の形成位置を、上述のようにガゼット袋１０Ａを把持したときに、ガゼット袋１０Ａの底面１６が容器本体３２の底面３４から浮き上がる位置とすることにより、ノッチ２０から開封した後のガゼット袋１０Ａを容器本体３２の底面３４に戻した場合に、ガゼット袋１０Ａの開口面を、容器本体３２の開口面とガゼット袋１０Ａにおける内容物の上面との間に位置させることができ、よって、ガゼット袋１０Ａの周面が内容物によって容器本体３２へ強く押し付けられることにより、ガゼット袋１０Ａの開口面も大きく広く開いた状態で維持され、内容物の取出が容易となる。これに対し、ノッチ２０から開封したガゼット袋１０Ａの開口面が容器本体３２の開口面の高さを超えると、容器本体３２の蓋３１を閉じるときに、ガゼット袋１０Ａの上端部を折り曲げなくてはならないので、ガゼット袋１０Ａの開口面を大きく開いた状態で維持することができない。反対に、ノッチ２０の形成位置が低すぎると、ガゼット袋１０Ａの開封時にノッチ２０を容器本体３２の外側へ出しにくくなる。
【００３８】
なお、内容物を充填したガゼット袋１０Ａを容器本体３２に収容し、ガゼット袋１０Ａの上部を上方に伸ばした状態におけるガゼット袋１０Ａの上端部の位置は、容器本体３２の開口面から１０〜５０ｍｍ程度上方に突出する位置が好ましい。これにより、ノッチ２０の上下を把持してガゼット袋１０Ａを引き裂くことが容易となる。
【００３９】
一方、容器本体３２としては、板紙、プラスチックシート等の板紙状材料を用いて形成された直方体型の容器とすることができる。
【００４０】
また、蓋３１は、容器本体３２の上面開口部を覆うものであればよく、例えば、その一縁辺が容器本体３２の背面とヒンジ状に結合したものを使用することができる。
【００４１】
ガゼット袋１０Ａが箱形容器３０に詰替袋として収容されている場合に、ガゼット袋１０Ａの使用方法としては、まず、図７Ａに示すように、箱形容器３０の蓋３１を開け、図７Ｂに示すように、ガゼット袋１０Ａの上部を容器本体３２から引き出し、容器本体３２の開口縁３３に掛けた手でガゼット袋１０Ａの上端部を把持してガゼット袋１０Ａの底面１６が容器本体３２の底面３４から０〜５０ｍｍ程度浮きあがるように持ち上げ、容器本体３２の外側に引き出したノッチ２０からガゼット袋１０Ａをその幅方向に引き裂く。このように引き出して引き裂くことにより、ガゼット袋１０Ａを直線状に引き裂くことが容易となる。なお、ガゼット袋１０Ａを容器本体３２の底面３４から持ち上げずに、ノッチ２０からガゼット袋１０Ａをその幅方向に引き裂くこともできる。
【００４２】
ノッチ２０からの引裂により、ガゼット袋１０Ａはその全幅にわたって上端部が除去される。そして、図７Ｃに示すように、容器本体３２内に残ったガゼット袋１０Ａは、ガゼット袋１０Ａ内の粉末状物質Ｐによって容器本体３２の内壁に矢印で示すように押し付けられ、広く開口する。
【００４３】
ガゼット袋１０Ａ内の粉末状物質Ｐの使用により、粉末状物質Ｐが無くなった場合には、粉末状物質Ｐが充填された新たな詰め替え用のガゼット袋１０Ａを用意し、それまでのガゼット袋１０Ａと取り替える。
【００４４】
なお、ガゼット袋１０Ａに充填する粉末状物質Ｐとしては、粉末洗剤、砂糖、塩等の顆粒ないし粉末の粉末状物質をあげることができる。粉末状物質Ｐの嵩密度は７００ｇ／Ｌ以上であってもよい。
【００４５】
以上、図１に示したガゼット袋１０Ａについて、本発明の一実施例を説明したが、本発明は、種々の態様をとることができる。例えば縦シール部が設けられる位置は、ガゼット袋の幅方向の中央部に限定されず、ガゼット袋の幅方向に交わるように設けられていれば良い。より具体的には、図８に示すガゼット袋１０Ｂのように、袋のコーナー部の一辺に上下方向に延びた縦シール部１２が形成され、そこにノッチ２０等の開封開始部を設けてもよい。このガゼット袋１０Ｂにおいても、２本の補強テープ２１、２２が袋の全周にわたって貼着され、２本の補強テープ２１、２２の間がハーフカット領域２３となっており、ハーフカット領域２３内の縦シール部１２にノッチ２０が設けられている。更に、縦シール部はガゼット袋の幅方向の中央部とコーナー部との間に設けられても良い。
【００４６】
図９に示すガゼット袋１０Ｃは、図１に示したガゼット袋１０Ａのトップシール１３のシール幅を広げ、上方の補強テープ２１の下端縁とトップシール１３の下端縁とを重ねたものである。これにより引裂直進性をより向上させることができるので好ましい。
【００４７】
本発明において、補強テープは２本に限られない。また、断続的に延びた補強テープがガゼット袋の全周にわたって貼着されるようにしても良い。
【００４８】
この他、ガゼット袋としては、底部にマチを有する底ガゼットタイプのものも使用することができる。
【００４９】
更に、本発明のガゼット袋は詰替袋として使用する以外に、バッグインカートンの内袋用としても使用することができる。また、箱形容器を使用せず、ガゼット袋単体でも使用することができる。
【産業上の利用可能性】
【００５０】
本発明のガゼット袋は、粉末洗剤等の粉末状物質が充填される袋として有用である。
【符号の説明】
【００５１】
１０Ａ、１０Ｂ、１０Ｃ    ガゼット袋
１１    マチ
１１ａ  折り筋
１２    縦シール部
１３    トップシール
１４    ボトムシール
１５    斜めシール
１６    底面
２０    ノッチ（開封開始部）
２１    補強テープ
２２    補強テープ
２３    ハーフカット領域
２４    ハーフカットライン
２５    外側延伸フィルム層
２６    内側延伸フィルム層
３０    箱形容器
３１    蓋
３２    容器本体
３３    開口縁
３４    底面
５０    平板
【図１】
2015224079.tif 000003
【図２】
2015224079.tif 000004
【図３】
2015224079.tif 000005
【図４】
2015224079.tif 000006
【図５】
2015224079.tif 000007
【図６】
2015224079.tif 000008
【図７Ａ】
2015224079.tif 000009
【図７Ｂ】
2015224079.tif 000010
【図７Ｃ】
2015224079.tif 000011
【図８】
2015224079.tif 000012
【図９】
2015224079.tif 000013